(57)【要約】【課題】エアギャップ画像と透明部材画像との間のコントラストを改善して、エアギャップを高精度で測定できるエアギャップ測定装置を提供する。【解決手段】エアギャップ測定装置は、測定対象物ＯＢＪが、対向配置された一対の透明部材の間のエアギャップであって、前記一対の透明部材を前記エアギャップの厚さ方向に交差する方向から拡散光で照明するための面発光光源１０と、面発光光源１０と透明部材との間に設けられ、開口形状が可変である絞り部材２０と、透明部材およびエアギャップの透過画像を撮像するための撮像ユニット３０などで構成され、さらに撮像ユニット３０を光軸方向に位置決めするためのＺステージ４０を備え、撮像ユニット３０を光軸方向にスキャンして得られた複数の画像を合成する。【選択図】図１
2010210254.tif 000002
【特許請求の範囲】
【請求項１】
測定対象物が、対向配置された一対の透明部材の間のエアギャップであって、前記一対の透明部材を前記エアギャップの厚さ方向に交差する方向から拡散光で照明するための面発光光源と、
面発光光源と透明部材との間に設けられ、開口形状が可変である絞り部材と、
透明部材およびエアギャップの透過画像を撮像するための撮像ユニットとを備えることを特徴とするエアギャップ測定装置。
【請求項２】
絞り部材は、エアギャップの長手方向と交差するエッジを有する一対の絞り板を含むことを特徴とする請求項１記載のエアギャップ測定装置。
【請求項３】
撮像ユニットからの画像信号を処理して、透明部材画像とエアギャップ画像との間のコントラストを算出するための演算処理ユニットをさらに備えることを特徴とする請求項１記載のエアギャップ測定装置。
【請求項４】
演算処理ユニットからの制御信号に基づいて、絞り部材の開口形状を制御するための絞り駆動機構をさらに備え、
演算処理ユニットは、透明部材画像とエアギャップ画像との間のコントラストが最大となるように絞り部材の開口形状を設定することを特徴とする請求項３記載のエアギャップ測定装置。
【請求項５】
演算処理ユニットからの制御信号に基づいて、撮像ユニットを光軸方向に位置決めするための撮像ユニット駆動機構をさらに備え、
演算処理ユニットは、撮像ユニットを光軸方向にスキャンして得られた複数の画像を合成することを特徴とする請求項３記載のエアギャップ測定装置。
【発明の詳細な説明】
【技術分野】
【０００１】
本発明は、プリズムなどの透明部材に設けられたエアギャップを測定するためのエアギャップ測定装置に関する。
【背景技術】
【０００２】
下記特許文献１は、光学的エアギャップ測定方法および装置が提案されており、エアギャップを介して接合されたプリズムに光ビームを照射し、干渉縞を生じさせた状態で、モノクロメータを用いて光ビームの波長を走査し、所定の測定点において干渉縞の明縞と暗縞が生じた際の光ビームの各波長及び光ビームの入射角に基づいて、該測定点のエアギャップ量を測定している。
【０００３】
下記特許文献２は、電子部品のリードフレーム等の被検体に向けて同軸落射照明を行って、被検体からの反射光を観察したり、反射面の傾き検出を行う測定顕微鏡装置が開示されている。
【先行技術文献】
【特許文献】
【０００４】
【特許文献１】特開平１０−４７９２７号公報
【特許文献２】特開平９−２０３６０８号公報
【発明の概要】
【発明が解決しようとする課題】
【０００５】
特許文献１では、エアギャップの平行度が良好でない場合は、干渉縞が多く出現していまう。そのため、平行度の影響を除去した後に演算を行う必要がある。
【０００６】
特許文献２では、例えば、図９に示すように、プリズムの１ピースごとの外形精度や貼り付けのバラツキにより測定面に段差が生じている場合、段差上部にピントを合わせると段差下部がぼけてしまい、一方、段差下部にピントを合わせると段差上部がぼけてしまうため、各プリズムとエアギャップの間の境界を同時に観測することができない。また、同軸落射照明では、下側のプリズム端面に上側のプリズム端面の影が面取り部に映ってしまい、エアギャップと影の境界が明確に区別できなくなる。
【０００７】
その他に、プリズム下方から照明を行う透過照明も想定されるが、単に照明光量を調整するだけでは、エアギャップ間とプリズム端面の両方を観測できるような最適な条件は得られない。
【０００８】
本発明の目的は、エアギャップ画像と透明部材画像との間のコントラストを改善して、エアギャップを高精度で測定できるエアギャップ測定装置を提供することである。
【課題を解決するための手段】
【０００９】
上記目的を達成するために、本発明に係るエアギャップ測定装置は、
測定対象物が、対向配置された一対の透明部材の間のエアギャップであって、前記一対の透明部材を前記エアギャップの厚さ方向に交差する方向から拡散光で照明するための面発光光源と、
面発光光源と透明部材との間に設けられ、開口形状が可変である絞り部材と、
透明部材およびエアギャップの透過画像を撮像するための撮像ユニットとを備えることを特徴とする。
【００１０】
本発明において、絞り部材は、エアギャップの長手方向と交差するエッジを有する一対の絞り板を含むことが好ましい。
【００１１】
本発明において、撮像ユニットからの画像信号を処理して、透明部材画像とエアギャップ画像との間のコントラストを算出するための演算処理ユニットをさらに備えることが好ましい。
【００１２】
本発明において、演算処理ユニットからの制御信号に基づいて、絞り部材の開口形状を制御するための絞り駆動機構をさらに備え、
演算処理ユニットは、透明部材画像とエアギャップ画像との間のコントラストが最大となるように絞り部材の開口形状を設定することが好ましい。
【００１３】
本発明において、演算処理ユニットからの制御信号に基づいて、撮像ユニットを光軸方向に位置決めするための撮像ユニット駆動機構をさらに備え、
演算処理ユニットは、撮像ユニットを光軸方向にスキャンして得られた複数の画像を合成することが好ましい。
【発明の効果】
【００１４】
本発明によれば、透明部材を拡散光で透過照明するとともに、光源と透明部材との間に開口形状が可変である絞り部材を設けることによって、透明部材画像が明るく、エアギャップ画像が暗くなるような照明条件を容易に設定できる。その結果、透明部材とエアギャップの境界が明瞭に観察できるようになり、エアギャップを高精度で測定することが可能になる。
【図面の簡単な説明】
【００１５】
【図１】本発明の一実施形態を示す構成図である。
【図２】測定対象物であるプリズムを撮像側から見た平面図である。
【図３】エアギャップ測定装置の電気的構成を示すブロック図である。
【図４】図４（ａ）は、本発明に係るエアギャップ測定装置で得られた合成画像の一例であり、図４（ｂ）は、その信号プロファイルである。
【図５】図５（ａ）は、比較例として同軸落射照明で得られた画像の一例であり、図５（ｂ）は、その信号プロファイルである。
【図６】図６（ａ）は、プリズム上面に段差がある場合、段差上部のプリズム面にピントを合わせた画像の一例であり、図６（ｂ）は、その信号プロファイルである。
【図７】図７（ａ）は、プリズム上面に段差がある場合、段差下部のプリズム面にピントを合わせた画像の一例であり、図７（ｂ）は、その信号プロファイルである。
【図８】エアギャップ測定の他の例を示す説明図である。
【図９】プリズム同士に段差がある場合の説明図である。
【発明を実施するための形態】
【００１６】
図１は、本発明の一実施形態を示す構成図である。図２は、測定対象物であるプリズムを撮像側から見た平面図である。エアギャップ測定装置は、面発光光源１０と、絞り部材２０と、撮像ユニット３０などで構成される。測定対象物ＯＢＪは、エアギャップを有する透明部材であり、例えば、図２に示すように、一対のプリズムの間に極薄のエアギャップを形成した光学素子でもよい。こうした光学素子として、ＤＬＰ(Digital Light Processing)（登録商標）プロジェクタに搭載されるＴＩＲ(Total Internal Reflection)プリズムが例示できる。
【００１７】
面発光光源１０は、複数の光源、ライトガイド、反射板、拡散板などで構成され、発光面から測定対象物ＯＢＪに向けて拡散光を発生する。面発光光源１０は、半固定式のＺステージ１、ＸＹステージ２、テーブル３からなる可動ステージの上に設置される。テーブル３の上には、照明光が通過する開口部を備えたサンプルテーブル４が面発光光源１０を跨ぐように設置される。こうしたサンプルテーブル４の上に測定対象物ＯＢＪが戴置される。測定対象物ＯＢＪは、エアギャップの厚さ方向（図２におけるＸ方向）に交差する方向から面発光光源１０により照明されるように戴置される。
【００１８】
絞り部材２０は、面発光光源１０と測定対象物ＯＢＪの間に設けられ、測定対象物ＯＢＪを照明する光の分布が空間的に制御可能なように、開口形状が可変であるように構成される。こうした絞り部材２０は、例えば、図２に示すように、エアギャップの長手方向に対して、好ましくは９０度で交差するエッジを有する一対の絞り板２０ａ，２０ｂを用いて構成できる。絞り板２０ａ，２０ｂは、エアギャップの長手方向に沿って独立に移動可能なように支持されている。以下、２つの絞り板２０ａ，２０ｂを用いた場合を例示するが、光軸に関して放射状に３つ以上の絞り板を独立に移動可能なように配置しても構わない。
【００１９】
撮像ユニット３０は、結像光学系３１と撮像素子３２などで構成され、測定対象物ＯＢＪの透過画像を撮像して、画像信号を出力する機能を有する。結像光学系３１は、寸法測定に適したテレセントリック光学系であることが好ましい。撮像素子３２は、ＣＣＤカメラなど、多数の受光画素がアレイ状に配列されたものである。ここで、結像光学系３１の倍率をＭとし、撮像素子３２の画素ピッチをＰとすると、画像信号の画素サイズはＭ×Ｐに換算でき、これが測定分解能に対応する。撮像ユニット３０は、光軸方向（図１のＺ方向）に位置決め可能なＺステージ４０に取り付けられる。
【００２０】
図３は、エアギャップ測定装置の電気的構成を示すブロック図である。面発光光源１０は、ドライバ回路１１を経由してＰＣ（パーソナルコンピュータ）５０に接続されており、ＰＣ５０からの制御信号に応じて照明光量および点灯タイミングが制御される。
【００２１】
絞り部材２０は、アクチュエータ２１によって駆動され、これにより絞り板２０ａ，２０ｂの位置が個別に調整される。アクチュエータ２１は、ドライバ回路２２を経由してＰＣ５０に接続されており、ＰＣ５０からの制御信号に応じて絞り部材２０の開口形状が制御される。
【００２２】
Ｚステージ４０は、ドライバ回路４１を経由してＰＣ５０に接続されており、ＰＣ５０からの制御信号に応じて撮像ユニット３０が光軸方向に位置決めされる。撮像素子３２は、カメラ電源３３を経由してＰＣ５０に接続されており、ＰＣ５０からの制御信号に応じて撮像サイズ、撮像周期などが制御される。また、撮像素子３２で撮像した画像信号は、ＰＣ５０に伝送されてメモリやストレージ装置に保存され、必要に応じてモニタ装置５１に表示される。
【００２３】
次に、測定手順について説明する。１）ます、図２に示すように、測定ポイントが撮像ユニット３０の光軸と一致するように、そしてエアギャップが画面に対し水平になるように被検プリズムをセットする。
【００２４】
２）次に、Ｚステージ１、ＸＹステージ２を調整して、測定ポイントがモニタ画像に映るように、被検プリズムの３次元位置を調整する。
【００２５】
３）次に、プリズム画像が明るく、エアギャップ画像が暗くなるように、好ましくは両者間のコントラストが最大となるように、絞り板２０ａ，２０ｂの位置を個別に調整し、必要に応じて面発光光源１０の光量調整を行う。このとき、使用者が手動で絞り板２０ａ，２０ｂの位置を調整してもよく、あるいは、ＰＣ５０がプリズム画像とエアギャップ画像との間のコントラストを算出し、コントラストが最大となるように絞り板２０ａ，２０ｂの位置を自動設定するようにしてもよい。
【００２６】
４）次に、モニタ画像を観察しながらＺステージ４０を駆動して、最終のピント調整を行う。
【００２７】
５）次に、撮像ユニット３０で撮像した画像信号をＰＣ５０に取り込んで、モニタ画像で表示する。そして、測定ポイントにおける画像信号プロファイルを表示し、カーソル等を用いて信号変化の急峻な箇所をそれぞれ指定することにより、エアギャップ寸法を測定することができる。こうしたエアギャップ測定は、ＰＣ５０での画像処理ソフトウエアによって自動化することも可能である。
【００２８】
次に、図９に示したように、プリズム上面に段差がある場合の測定手順について説明する。上述した手順１）〜３）は同様に行う。手順４）において、モニタ画像を観察しながらＺステージ４０を駆動して、段差上部のプリズム面にピント調整を行ってＺスキャンの上限を指定する。続いて、段差下部のプリズム面にピント調整を行ってＺスキャンの下限を指定する。このとき画像取り込みのタイミングを規定するスキャンピッチも、結像光学系３１の焦点深度やプリズム面取りを考慮して設定する。スキャンピッチが小さすぎると、測定時間がかかり、一方、スキャンピッチが大きすぎると、画像が荒くなりプリズム端面が判別しにくくなる点に留意する。
【００２９】
次に、手順５）において、撮像ユニット３０のＺスキャンを開始し、スキャンピッチごとに撮像ユニット３０からの画像信号をＰＣ５０に取り込んで、モニタ画像で表示する。スキャン終了後、ＰＣ５０は、取り込んだ複数の画像を１枚の画像に合成する。合成は、単純平均処理でもよく、重み付け平均処理でもよく、その他の統計的手法を用いてもよい。そして、使用者の手作業または画像処理ソフトウエアによって、合成画像におけるエアギャップ寸法を測定する。
【００３０】
こうした撮像ユニット３０のＺスキャンによる画像合成は、ＰＣ５０による自動処理が可能であり、プリズムに段差がある場合でも高精度のエアギャップ測定を実現できる。例えば、結像光学系３１として倍率２０倍、深度９μｍのレンズを使用し、面取りＣ０．１のプリズムのエアギャップを測定する場合、スキャンピッチを５μｍ、スキャン測定回数７回で上下±３０μｍの幅の測定が端面を明確に観測できる。
【００３１】
図４（ａ）は、本発明に係るエアギャップ測定装置で得られた合成画像の一例であり、図４（ｂ）は、その信号プロファイルである。プリズム画像は明るく、エアギャップ画像は暗く表示されており、両者間のコントラストが大きいことが判る。その結果、信号変化の急峻な箇所を容易に特定でき、エアギャップ寸法を高精度で測定することができる。
【００３２】
図５（ａ）は、比較例として同軸落射照明で得られた画像の一例であり、図５（ｂ）は、その信号プロファイルである。プリズム画像およびエア画像の明度差が小さくなり、両者の界面付近はあまり鮮明ではない。
【００３３】
図６（ａ）は、プリズム上面に段差がある場合、段差上部のプリズム面にピントを合わせた画像の一例であり、図６（ｂ）は、その信号プロファイルである。図７（ａ）は、プリズム上面に段差がある場合、段差下部のプリズム面にピントを合わせた画像の一例であり、図７（ｂ）は、その信号プロファイルである。いずれもピントが合ったプリズム画像は鮮明に表示されているが、他方のプリズム画像は不鮮明であるため、エアギャップの測定は困難である。その対策として、撮像ユニット３０のＺスキャンによる画像合成を行うことによって、図４（ａ）に示すような鮮明なプリズム画像およびエアギャップ画像を得ることができる。
【００３４】
図８は、エアギャップ測定の他の例を示す説明図である。２つのプリズムの間にエアギャップが設けられており、エアギャップの左端付近の間隔Ｇ１、エアギャップ右端付近の間隔Ｇ２、および測定ポイント間の距離Ｌを測定することによって、（Ｇ１−Ｇ２）／Ｌで表される平行度を算出できる。
【産業上の利用可能性】
【００３５】
本発明は、エアギャップを高精度で測定できる点で産業上極めて有用である。
【符号の説明】
【００３６】
１  Ｚステージ
２  ＸＹステージ
３  テーブル
４  サンプルテーブル
１０  面発光光源
２０  絞り部材
２０ａ，２０ｂ  絞り板
２１  アクチュエータ
３０  撮像ユニット
３１  結像光学系
３２  撮像素子
４０  Ｚステージ
５０  ＰＣ（パーソナルコンピュータ）
ＯＢＪ  測定対象物
【図１】
2010210254.tif 000003
【図２】
2010210254.tif 000004
【図３】
2010210254.tif 000005
【図４】
2010210254.tif 000006
【図５】
2010210254.tif 000007
【図６】
2010210254.tif 000008
【図７】
2010210254.tif 000009
【図８】
2010210254.tif 000010
【図９】
2010210254.tif 000011